(57)【特許請求の範囲】
【請求項１】
光学ヘッドに使用される光学レンズが光学ハウジングに取り付けられるレンズ保持装置において、
前記光学レンズが組み込まれる円筒状のレンズ保持部材と、
前記レンズ保持部材が配置される光路孔が設けられた光学ハウジングと、
端面がＳ字形状の長尺である２つのバネ材と、
前記バネ材の前記Ｓ字形状の上半部が前記レンズ保持部材に挿入される２つの第１バネ保持孔と、
前記バネ材の前記Ｓ字形状の下半部が前記光路孔に挿入される２つの第２バネ保持孔と、
を備え、
筒形状の前記レンズ保持部材の端部より他端方向に沿ってハの字の位置に開放された前記第１バネ保持孔が設けられ、
前記光学ハウジングに前記レンズ保持部材が挿入配置される筒状の開放部が設けられ、
前記第１バネ保持孔と前記開放部とが当接する位置に端部が開放された第２バネ保持孔が設けられ、
前記第１バネ保持孔と前記第２バネ保持孔とに長尺なるＳ字状の前記バネ材が挿入保持され、
前記第１バネ保持孔に前記Ｓ字状の前記バネ材の前記上半部が挿入係合され、
前記第２バネ保持孔に前記Ｓ字状の前記バネ材の前記下半部が挿入係合され、
前記光路孔内で前記光学レンズが組み込まれた前記レンズ保持部材を光軸方向に移動調整可能に保持させた
ことを特徴とするレンズ保持装置。
【発明の詳細な説明】
【技術分野】
【０００１】
本発明は、光学ハウジングに所定の光学部品が組み込まれる光学レンズを保持し位置調整する機能を有するレンズ保持装置に関する。
【背景技術】
【０００２】
ディスク等の信号記録媒体に対して光学的に信号の読み取り、あるいは書き込みを行う光学ヘッド用レンズ調整装置は、通常、対物レンズを駆動させる対物レンズ駆動機構を、光源からの光ビームを前記対物レンズに導く光路及び信号記録媒体により反射された光ビームを光検出器に導く光路が形成される光学ハウジングに取り付けて構成されている。
【０００３】
最近の光ピックアップは小型化が進みパワーレンズを配置し焦点距離を短くし光検出器に集光させることにより小型化が図られている。
【０００４】
図４、図５及び図６は従来のレンズ保持装置を示し、光ビームを光検出器に導く光路に、パワーレンズによるビームスポットを光検出器に集光させるように構成されている。５１は各種光学素子が組み込まれる光学ハウジング、５２は光ビームが光検出器（記載せず）に収束するパワーレンズ、５３は該パワーレンズ５２を円柱形状に組み込まれている金属製のレンズ保持部材、５４は前記レンズ保持部材５３の底面に設けられた調整凹部である。
【０００５】
５５は光学ハウジング５１に設けられた半円形状をした取付け面であり、前記レンズ保持部材５３が配置される。５６は前記取付け面５５の底面に設けられた貫通孔であり、前記調整凹部５４と当接されるように設けられている。５７は押圧材であり右バネ片５７ａと左バネ片５７ｂで前記レンズ保持部材５３を押圧する。
【０００６】
５８は前記押圧材５７が取付けられるネジ孔であり、位置合わせピン５９に合せ孔５７ｄを挿着するとともに押圧材５７の取付け孔５７ｃを合せ、ネジ６０により取付け孔５７ｃを介してネジ孔５８に螺合される。６１は前記貫通孔５６を介して調整凹部５４に挿入して調整される偏芯ピンであり、該偏芯ピン６１は中心位置より外れた位置にピンが配置されているので回転することによりレンズ保持部材５３は右バネ片５７ａと左バネ片５７ｂとにより付勢されている状態でレンズ保持部材５３の円柱方向へ摺動し光ビームの焦点を調整する。
【０００７】
図６は調整用の説明図であり、偏芯ピン６１を回転することにより矢印Ａ又は矢印Ｂ方向にレンズ保持部材５３を位置調整するように構成されており、例えば矢印Ｂ方向にレンズ保持部材５３を位置調整したとき、レンズ保持部材５３を右バネ片５７ａと左バネ片５７ｂを押圧された状態で矢印Ｂ方向に調整したとき、右バネ片５７ａと左バネ片５７ｂの押圧箇所の摩擦力と調整凹部からのモーメントが発生し、レンズ保持部材５３はＣの状態を保持することとなり、パワーレンズ５２の光軸ズレの発生が生じる恐れがあった。
【特許文献１】特開平５−３１４４９４号
【発明の開示】
【発明が解決しようとする課題】
【０００８】
このように構成された光学ヘッド装置用レンズ調整装置はレンズ保持部材の上面を右バネ片と左バネ片を押圧し下面を調整移動するので上面の摩擦力と下面の調整部との移動する距離が同一でなく、初期の光軸変化や経時的な光軸変動の懸念があった。
【０００９】
本発明は、斯かる問題を解決したレンズ保持装置を提供しようとするものである。
【課題を解決するための手段】
【００１０】
本発明は、光学ヘッドに使用される光学レンズが光学ハウジングに取り付けられるレンズ保持装置において、前記光学レンズが組み込まれる円筒状のレンズ保持部材と、前記レンズ保持部材が配置される光路孔が設けられた光学ハウジングと、端面がＳ字形状の長尺である２つのバネ材と、前記バネ材の前記Ｓ字形状の上半部が前記レンズ保持部材に挿入される２つの第１バネ保持孔と、前記バネ材の前記Ｓ字形状の下半部が前記光路孔に挿入される２つの第２バネ保持孔と、を備え、筒形状の前記レンズ保持部材の端部より他端方向に沿ってハの字の位置に開放された前記第１バネ保持孔が設けられ、前記光学ハウジングに前記レンズ保持部材が挿入配置される筒状の開放部が設けられ、前記第１バネ保持孔と前記開放部とが当接する位置に端部が開放された第２バネ保持孔が設けられ、前記第１バネ保持孔と前記第２バネ保持孔とに長尺なるＳ字状の前記バネ材が挿入保持され、前記第１バネ保持孔に前記Ｓ字状の前記バネ材の前記上半部が挿入係合され、前記第２バネ保持孔に前記Ｓ字状の前記バネ材の前記下半部が挿入係合され、前記光路孔内で前記光学レンズが組み込まれた前記レンズ保持部材を光軸方向に移動調整可能に保持させたことを特徴とする。
また、前記レンズ保持部材の外郭に凹部が設けられ、前記光学ハウジングに調整孔が設けられ、前記調整孔を介して前記凹部に先端が中心点より外れて偏芯した調整棒が挿入可能とされ、前記調整棒を回転させることによりレンズ保持部材を移動可能とさせた。
光学レンズが保持される筒形状を成すとともに、該筒形状の端部より他端方向に沿ってハの字の位置に開放された第1バネ保持孔を設けたレンズ保持部材と、光学ハウジングには前記レンズ保持部材を挿入配置する筒状の開放部を設けるとともに、前記第1バネ保持孔と開放部とが当接する位置に端部が開放された第２バネ保持孔を設け、第1バネ保持孔と第２バネ保持孔に長尺なるＳ字状の弾性部材の上端部と下端部とをお互い挿入保持するようにした。
【発明の効果】
【００１１】
解決しようとする問題点は、パワーレンズを調整する場合、レンズホルダー上端部をバネでレンズホルダーを押圧し、レンズホルダーの下部によりレンズを前後して調整するが、レンズホルダー上端部がバネに摩擦力によるヒッカカリの状態で調整された後、振動などによりレンズホルダーの位置がズレることによりレンズの光軸収差に悪影響を及ぼすことであった点である。
本発明は、レンズが保持されているレンズ保持部材と光学ハウジングとをお互い長尺なるＳ字状のバネ材にて保持するようにしたので摩擦にてヒッカカリによる要素がなくレンズ保持部材の光軸がズレるおそれがない。
【実施例１】
【００１３】
図１は本発明の一実施例を示すレンズ保持装置の斜視図、図２は図１に示す要部の断面図、図３は本発明の説明に使用する説明図である。図において１は各種光学素子が組み込まれる光学ハウジング、２は光ビームが光検出器（記載せず）に収束するパワーレンズ、３は該パワーレンズ２が組み込まれる金属製の円柱形状のレンズ保持部材、４は前記レンズ保持部材３の底面に設けられた調整凹部である。
【００１４】
５は光学ハウジング１に設けられたレンズ保持部材３が挿入配置される貫通孔である。６、７は前記レンズ保持部材３に設けられた第１バネ保持孔６と第１バネ保持孔７であり、レンズ保持部材３の端部より他端方向へハの字の位置である下面の左右２箇所に丸孔形状であるとともに丸孔形状の端部が開放されている。
【００１５】
８、９は前記第１バネ保持孔６と第１バネ保持孔７とが貫通孔５の内孔に当接する位置に設けられた丸孔形状の端部が開放されている第２バネ保持孔８、第２バネ保持孔９であり、第１バネ保持孔６には第２バネ保持孔８とが当接し、第１バネ保持孔７と第２バネ保持孔９とが当接するように配置される。
【００１６】
１０は前記第１バネ保持孔６と第２バネ保持孔８に挿入される長尺なるＳ字形状を形成したＳ字バネ、１１は第１バネ保持孔７と第２バネ保持孔９に挿入される長尺なるＳ字形状を形成したＳ字バネであり、Ｓ字バネ１０およびＳ字バネ１１はＳ字状の片面と片面とがお互いにレンズ保持部材３側と光学ハウジング１側に挿入されることによりレンズ保持部材３を保持する。
【００１７】
１２は光学ハウジング１に設けられた貫通した調整孔、１３は先端が中心より外れた位置に突起状のピンを設けた調整棒であり、図３に示す通り調整棒１３を調整孔１２を介して調整凹部４に挿入し回転することにより矢印Ａまたは矢印Ｂ方向にレンズ保持部材３を移動調整することが出来る。
【００１８】
このようなレンズ保持部材３は光学ハウジング１に設けられた第１バネ保持孔６と第２バネ保持孔８にＳ字バネ１０の上端部と下端部を各々挿入し、第１バネ保持孔７と第２バネ保持孔９にＳ字バネ１１を挿入連結しレンズ保持部材３を保持させるが、調整棒１３により調整孔１２を介して調整凹部１４に挿入し回転調整することにより図３に示す通り矢印Ａおよび矢印Ｂ方向にパワーレンズの位置調整を調整することができる。
【００１９】
このように矢印Ａおよび矢印Ｂ方向に調整した場合、長尺なるＳ字バネ１０とＳ字バネ１１による連結保持のため、押圧片にてヒッカカリによる光軸のずれが発生しない。
【００２０】
上述したように従来例で説明した調整方法は、調整位置と逆位置の面にて押圧したため押圧面にて摩擦力によるヒッカカリが発生していたが、本発明は調整位置の近傍にレンズ保持部材を保持するとともに摩擦力によるヒッカカリが発生しにくい長尺なるＳ字型のバネによる構成にしたものである。
【産業上の利用可能性】
【００２１】
上述したように、光学レンズを搭載するレンズの焦点距離を調整する機構に大いに有効な方式である。
【図面の簡単な説明】
【００２２】
【図１】本発明のレンズ保持装置の一実施例を示す斜視図である。
【図２】図１に示すレンズ保持装置の断面図である。
【図３】本発明の要部を示す説明図である。
【図４】従来例の一実施例を示すレンズ保持装置の斜視図である。
【図５】図４に示す分解斜視図である。
【図６】従来例の要部を示す説明図である。
【符号の説明】
【００２３】
１          光学ハウジング
２ パワーレンズ
３          レンズ保持部材
４          調整凹部
５ 貫通孔
６，７      第１バネ保持孔
８，９      第２バネ保持孔
１０，１１  Ｓ字バネ
１２        調整孔
１３        調整棒
【図１】
0004416459.tif 000002
【図２】
0004416459.tif 000003
【図３】
0004416459.tif 000004
【図４】
0004416459.tif 000005
【図５】
0004416459.tif 000006
【図６】
0004416459.tif 000007